(57)【要約】【課題】クランプカラーは、一巡してそれ自体に折り重なるベルト（１０）を備える。【解決手段】このベルトの両端には、互いをより近接させてカラーを締め付けるのに適する直立の突起部（１２、１４）が設けられている。カラーは、ベルト（１０）の両端（１０Ａ、１０Ｂ）間を延伸する陸部（２４）と、当該陸部に対して直立する少なくとも第１のタブを備えた、突起部間を延伸する腹部（２６）とを有するスペーサ（２２）を有する。スペーサは、第１のタブと陸部との間の接合部に位置する第１の折り目および陸部の第１の端部に位置する第２の折り目で折り返される細片によって形成され、陸部は、第１および第２の折り目の間に第１の二重壁部を有する。【選択図】図１
2017083008.tif 000002
【特許請求の範囲】
【請求項１】
実質的に円筒状の外形を一巡してそれ自体に折り重なるベルト（１０）であって、当該外形に対して直立し、互いをより近接させてカラーを締め付けるのに適する突起部（１２、１４）が設けられた２つの端部を有するベルトを備えるクランプカラーであって、前記カラーは、前記ベルト（１０）の両端（１０Ａ、１０Ｂ）間を実質的に当該外形に沿って延伸する陸部（２４；１２４；２２４；３２４）と、当該陸部に対して直立する少なくとも第１のタブ（３０；１３０；２３０；３３０）を備えた、前記突起部間を延伸する腹部（２６；１２６；２２６；３２６）とを有するスペーサ（２２；１２２；２２２；３２２）を更に備え、
前記スペーサ（２２；１２２；２２２；３２２）は、当該第１のタブと前記陸部との間の接合部に位置する第１の折り目（Ｐ１）および前記陸部の第１の端部（２４Ａ；１２４Ａ；２２４Ａ；３２４Ａ）に位置する第２の折り目（Ｐ２）で折り返される細片（２８）によって形成され、前記陸部は、当該第１および第２の折り目（Ｐ１、Ｐ２）の間に第１の二重壁部（２５Ａ；１２５Ａ；２２５Ａ；３２５Ａ）を有する、クランプカラー。
【請求項２】
前記腹部は、当該腹部（２６；２２６；３２６）が二重壁腹部となるように前記第１のタブに対向して延伸する第２のタブ（３２；２３２；３３２）を更に有する、請求項１に記載のクランプカラー。
【請求項３】
前記スペーサは、前記陸部の第２の端部（２４Ｂ；１２４Ｂ；２２４Ｂ）に位置する第３の折り目（Ｐ３）を有し、前記陸部は、当該第３の折り目（Ｐ３）と前記腹部（２６；１２６；２２６；３２６）との間に第２の二重壁部（２５Ｃ；１２５Ｃ；２２５Ｃ；３２５Ｃ）を有する、請求項２に記載のクランプカラー。
【請求項４】
前記スペーサは、前記第２のタブ（３２；２３２；３３２）と前記陸部（２４；１２４；２２４；３２４）との接合部に位置する第４の折り目（Ｐ４）を有し、前記陸部は、当該第４の折り目（Ｐ４）と前記陸部の第２の端部（２４Ｂ；１２４Ｂ；２２４Ｂ；３２４Ｂ）との間に第２の二重壁部（２５Ｃ；１２５Ｃ；２２５Ｃ；３２５Ｃ）を有する、請求項２または３に記載のクランプカラー。
【請求項５】
前記腹部（２６；１２６；２２６；３２６）は、少なくとも１つの側部突出部（３０Ｌ、３２Ｌ）を有する、請求項１〜４のいずれか一項に記載のクランプカラー。
【請求項６】
前記腹部（２６；１２６）は、前記少なくとも第１のタブ（３０；１３０；２３０；３３０）と整列する少なくとも１つの突出部（３０Ｌ、３２Ｌ）を有する、請求項１〜５のいずれか一項に記載のクランプカラー。
【請求項７】
前記突起部（１２、１４）に、穴（１３）が設けられ、前記カラーは、当該穴を通る締め付け胴部（１６）を有する、請求項１〜６のいずれか一項に記載のクランプカラー。
【請求項８】
前記腹部に、前記締め付け胴部（１６）も通る穴（３０Ａ、３２Ａ）が設けられる、請求項７に記載のクランプカラー。
【請求項９】
前記カラーは、前記腹部（２６；１２６；２２６；３２６）の一方の側で締め付け胴部（１６）上に保持される少なくとも１つのワッシャ（５０）を含む、請求項８に記載のクランプカラー。
【請求項１０】
前記腹部の２つのタブ（３０、３２）のそれぞれに、穴（３０Ａ、３２Ａ）が設けられ、これらの穴は、互いにずれた軸を有する、請求項２〜９のいずれか一項に記載のクランプカラー。
【請求項１１】
前記ベルト（１０）および前記スペーサ（２２）は、金属で構成される、請求項１〜１０のいずれか一項に記載のクランプカラー。
【発明の詳細な説明】
【技術分野】
【０００１】
本開示は、実質的に円筒状の外形を一巡してそれ自体に折り重なるベルトを備えるクランプカラーに関する。このベルトの両端には、当該外形に対して直立し、互いをより近接させてカラーを締め付けるのに適する突起部（ｌｕｇ）が設けられている。このカラーは、ベルトの両端間を実質的に当該外形に沿って延伸する陸部（ｌａｎｄ）と、当該陸部に対して直立する少なくとも第１のタブを備えた、突起部間を延伸する腹部（ｗｅｂ）とを有するスペーサを更に備える。
【０００２】
スペーサの陸部は、ベルトの両端間の間隙を埋める機能を有するが、これは、カラーがクランプする物品をその周りで概ね連続して支持することを確実にするためであり、特に、例えば、当該物品が流体を流すためのチューブ上にクランプされたパイプである場合には、クランプによる漏出防止の密封性を確実にするためである。
【背景技術】
【０００３】
この種のカラーのうちの一つが、特許文献１に開示されている。そのカラーにおいて、突起部には、締め付けボルトの胴部を通す穴が設けられている。そのボルトの頭部は、２つの突起部のうちの１つの後ろに保持され、ナットは、他方の突起部の後ろに保持される。放射断面、すなわち、円筒状の外形の軸に垂直な断面において、上記スペーサの腹部は、Ｖ形状を有し、Ｖ形状の両枝の端部は、軸から離れた領域において、突起部の内部面のうちのそれぞれ対応する面に対向して支持される。陸部は、Ｖ形状の両枝から切り出された複数の部分陸部から構成される。これらの枝に締め付け胴部を通すことのできる穴が設けられている限り、これらの部分陸部は、当該穴とスペーサの側端との間を延伸するスペーサの領域において切り出される。このように、部分陸部は、実質的に円筒状の外形の軸に平行な方向における幅が狭い。この幅は、スペーサの全長よりもはるかに短い。すなわち、当該部分陸部は、細い切り出し紐状片（ｓｔｒａｎｄ）であり、カラーによるクランプ対象の物品と接触するそれらの接触面積は小さい。理論上は、スペーサの陸部は、ベルトの両端間に位置する間隙を埋めることによって、クランプ対象の物品との連続な接触を得るように機能する。しかし、上記のように、実際には、上記の従来の陸部は、当該物品との接触面積が小さい細い紐状片形状の複数の部分陸部から構成される。その結果、支持の連続性が確実ではない。なぜなら、ベルトの両端間に位置する物品の表面積の大部分は、紐状片によって覆われていないからである。さらに、紐状片自体は、強度不足であり、大きな締め付け力の影響下では変形する可能性がある。
【０００４】
また、特許文献２に記載されるように、突起部間に配置される固体ブロックによってスペーサを形成することができることが知られている。そのようなスペーサは、製造コストが比較的高く、また重量が比較的大きく、剛性が非常に高い。そのため、そのようなスペーサの形状は、締め付け中に生じるベルトの直径の減少を吸収するようには対応できない。
【先行技術文献】
【特許文献】
【０００５】
【特許文献１】米国特許第７０５５２２３号明細書
【特許文献２】国際公開ＷＯ２０１１／０１１７７３明細書
【発明の概要】
【発明が解決しようとする課題】
【０００６】
一局面において、本発明の目的は、ベルトの両端間に位置する間隙を有効に埋めることができるとともに、製造コストが低いスペーサを備えるカラーを提案することによって、従来技術の上記短所を改善することである。
【課題を解決するための手段】
【０００７】
したがって、本開示は、実質的に円筒状の外形を一巡してそれ自体に折り重なるベルトを備えるクランプカラーに関する。このベルトの両端には、外形に対して直立し、互いをより近接させてカラーを締め付けるのに適する突起部が設けられている。このカラーは、ベルトの両端間を実質的に当該外形に沿って延伸する陸部と、当該陸部に対して直立する少なくとも第１のタブを備えた、突起部間を延伸する腹部とを有するスペーサを更に備える。このカラーにおいて、スペーサは、当該第１のタブと陸部との間の接合部に位置する第１の折り目および陸部の第１の端部に位置する第２の折り目で折り返される細片によって形成される。陸部は、当該第１および第２の折り目の間に第１の二重壁部を有する。
【０００８】
したがって、スペーサは、このように所望のサイズを容易に与えることができ、製造コストの低い折り返し細片だけによって形成される。カラーの直径およびベルトの両端間の埋められるべき間隙の幅に応じて、細片は、所望のサイズに切り出すことができ、第１および第２の折り目は、所望の位置に形成することができる。さらに、陸部は、第１の二重壁部を有することによって、締め付け時に若干変形できるようにしつつ、その剛性が局所的に増大する。これは、陸部が固体ブロック要素ではなく、細片から構成されるからである。最後に、陸部は、このようにクランプ対象の物品に対向して支持されるための連続な支持面を有し、陸部に対向して支持されていない当該物品の表面積が大きくならないようにしながら、ベルトの両端間の間隙を有効に埋めることができる。この点は、特許文献１の陸部と異なる。
【０００９】
必要に応じて、腹部は、腹部が二重壁腹部となるように第１のタブに対向して延伸する第２のタブを更に有する。
【００１０】
この場合、腹部の厚さは、細片の厚さの２倍である。
【００１１】
必要に応じて、スペーサは、陸部の第２の端部に位置する第３の折り目を有する。陸部は、当該第３の折り目と腹部との間に第２の二重壁部を有する。
【００１２】
この場合、陸部は、２つの二重壁部を有する。第１の二重壁部は、腹部の一方の側を陸部の第１の端部まで延伸する。第２の二重壁部は、腹部の他方の側を、陸部の第１の端部とは反対の第２の端部まで延伸する。このように、陸部は、ベルトの周方向におけるその全長にわたり補強され、腹部の両側でバランスが取れるように補強される。腹部の両側のこれら２つの二重壁部によって、スペーサの陸部とカラーによってクランプされた物品との間において反作用力が最適に分散可能となる。
【００１３】
必要に応じて、スペーサは、第２のタブと陸部との接合部に位置する第４の折り目を有する。陸部は、当該第４の折り目と陸部の第２の端部との間に第２の二重壁部を有する。
【００１４】
上記のように、第４の折り目は、第１および第２の折り目だけとともに存在してもよいし、あるいは第１、第２および第３の折り目とともに存在してもよい。いずれにしても、当該第４の折り目の存在によっても、陸部に、腹部を基準として第１の二重壁部が位置する側とは反対側に第２の二重壁部を設けることが可能となる。
【００１５】
必要に応じて、腹部は、少なくとも１つの側部突出部および／または当該少なくとも第１のタブと整列する少なくとも１つの突出部を有する。
【００１６】
特に、後述するように、そのような突出部は、位置決めキーとして機能し、スペーサの操作を容易にする。
【００１７】
必要に応じて、突起部は、穴を備え、カラーは、当該穴を通る締め付け胴部を有する。
【００１８】
必要に応じて、腹部は、締め付け胴部が通る穴を備える。
【００１９】
必要に応じて、カラーは、腹部の一方の側で締め付け胴部上に保持された少なくとも１つのワッシャを含む。
【００２０】
そのようなワッシャにより、スペーサを締め付け胴部上で事前位置決めすることが可能となるとともに、それにより、カラーによるクランプ対象の物品に対してスペーサを正確に位置決めすることを容易にすることが可能となる。
【００２１】
必要に応じて、腹部の２つのタブのそれぞれは、穴を備える。これらの穴は、互いにずれた軸を有する。
【００２２】
軸間の若干のずれによっても、スペーサを締め付け胴部上で事前位置決めすることが可能となる。穴の寸法がネジの胴部を各穴に通すことができるのにちょうど十分な寸法であれば、この軸のずれにより、自然に、ボルトの胴部は穴の縁部を擦ることになるので、摩擦によりスペーサは胴部に保持される。
【００２３】
必要に応じて、ベルトおよびスペーサは、金属で構成される。
【００２４】
特に、使用される金属は、ステンレス鋼である。カラーのベルトおよびスペーサを形成する細片に対して同じ金属を使用してもよい。
【００２５】
以下の非限定的な例を用いて示される実施形態の詳細な説明によって、本発明は十分に理解でき、その利点はより明瞭となる。説明においては、添付の図面を参照する。
【図面の簡単な説明】
【００２６】
【図１】図１は、締め付けていない状態のクランプカラーの一実施形態の斜視図である。
【図２】図２は、図１のカラーの端面図である。
【図３】図３は、図１および２に示すカラーのスペーサの斜視図である。
【図４】図４は、図３のスペーサの端面図である。
【図５】図５は、図４の矢印Ｖに沿って見た図である。
【図６】図６は、スペーサを形成する細片の展開図である。
【図７】図７は、スペーサの変形例の端面図である。
【図８】図８は、スペーサの変形例の端面図である。
【図９】図９は、スペーサの変形例の端面図である。
【発明を実施するための形態】
【００２７】
図１および２に示すクランプカラーは、実質的に円筒状の外形軸Ａを一巡してそれ自体に折り重なるベルト１０を備える。当該ベルトの端部１０Ａおよび１０Ｂは、突起部１２および１４をそれぞれ備える。突起部１２および１４は、円筒状の外形に対して直立し、互いをより近接させてカラーを締め付けるのに適する突起部である。それ自体公知の方法で、これらの突起部には、締め付け胴部１６を通すための穴（例えば、図１では、突起部１２における穴１３が見られる）が設けられる。締め付け胴部１６は、突起部に対向して保持される締め付け部材と協働してカラーを締め付ける。この例において、締め付け胴部は、ボルトの胴部であり、その頭部１６Ａは、第１の締め付け部材を形成し、突起部１２の後ろに保持される。胴部１６に取り付けられるナット１７は、突起部１４の後ろに保持される第２の締め付け部材を形成する。ナットを締め付けることによって、２つの突起部を互いにより近接させ、したがって、カラーが締め付けられる。一般に、ベルト１０ならびにその突起部１２および１４は、文献ＷＯ２００６／１０９００１、ＷＯ２００６／１０９００２およびＷＯ２０１０／００４２３３に記載されるタイプのものである。
【００２８】
突起部１２および１４は、ベルトの端部１０Ａおよび１０Ｂの間を範囲とする締め付け間隙２０の両側に位置し、互いに対向する。この例において、各突起部は、それぞれの突起部についての他方の突起部の方を向いている（すなわち、締め付け間隙２０を向いている）それぞれの前部１２Ａ、１４Ａを有する。また、各突起部は、それぞれの締め付け部材１６Ａ、１７と協働するそれぞれの支持部１２Ｂ、１４Ｂを有する。支持部は、突起部の後ろ、すなわち、上記前部１２Ａおよび１４Ａからは反対の側に位置する。この例において、突起部１２および１４は、延長部を有する突起部である。これが意味するところは、各突起部について、その注目の突起部の後方に、対をなす突起部の他方から遠ざかるように折り返された突起部の延長部に支持部が形成される。当然ながら、前部１２Ａおよび１４Ａならびに後部１２Ｂおよび１４Ｂには、締め付け胴部１６を通すための穴が設けられる。また、支持部１２Ｂおよび１４Ｂが形成される突起部の延長部は、それぞれのフランジ１２Ｃ、１４Ｃを有する。フランジ１２Ｃ、１４Ｃは、それぞれの前部１２Ａ、１４Ａの後面と協働して、前部と締め付け部との間にスペーサを形成する。
【００２９】
図１および２に示すカラーは、突起部の前部１２Ａおよび１４Ａの間に配置され、上記間隙２０を埋める機能を有するスペーサ２２を含む。スペーサ２２は、ベルトの端部１０Ａおよび１０Ｂの間を円筒状の外形に実質的に沿って延伸する陸部２４と、陸部に対して直立し、したがって突起部１２および１４の間を延伸する腹部２６とを有する。したがって、端から見ると、すなわち、軸Ａに沿って見るか、または当該軸に垂直な断面において見られるように、スペーサは、倒立したＴ字形であり、腹部は、そのＴの直立部を形成し、陸部は、そのＴの水平部を形成する。陸部２４の内部面は、上記外形の形状を有するように若干凹形状であってもよい。当然ながら、この凹形状は、ベルトの直径、およびベルトの内周方向における陸部の長さに依存する。
【００３０】
図３〜６からわかるように、スペーサ２２は、細片２８が、複数の異なる箇所で、その長さに対して垂直な折り目に沿って折り返されることによって形成される。
【００３１】
腹部２６は、第１のタブ３０および第２のタブ３２から構成される。第１のタブ３０および第２のタブ３２は、互いに重なるように折り返され、陸部２４に対して直立するようにされるので、図１および２に示すようにスペーサがカラーの適切な位置に配置された場合に、実質的に半径方向に延伸する。当然ながら、この腹部には、締め付け胴部１６を通すための穴が設けられる。図面からわかるように、この例において、２つの穴３０Ａおよび３０Ｂがそれぞれ対応するタブ３０および３２において形成される。タブは、互いに対向するように向けられたそれぞれの内部面同士が互いに接触するように、互いに押し付けられる。
【００３２】
上記の実施例において、スペーサは、第１のタブ３０と陸部２４との間の接合部に位置する第１の折り目Ｐ１と、陸部の第１の端部２４Ａに位置する第２の折り目Ｐ２と、陸部の第２の端部２４Ｂに位置する第３の折り目Ｐ３と、第２のタブ３２と陸部との間の接合部に位置する第４の折り目Ｐ４とを有することがわかる。
【００３３】
このように、陸部は、軸Ａ方向を向き、折り目Ｐ２から始まり、折り目Ｐ３に延伸する戻り区分を形成する内部壁２５Ｂを有する。したがって、陸部は、折り目Ｐ１およびＰ２の間を延伸する外部壁２５Ａが陸部の外側（すなわち、軸Ａからより遠くに位置する側）で内部壁２５Ｂを覆うような第１の二重壁部を有する。また、陸部は、内部壁２５Ｂに対して外側で、折り目Ｐ３およびＰ４の間を延伸する第２の外部壁２５Ｃによって形成される第２の二重壁部を有する。さらに、腹部２６は、タブ３０および３２が互いに対向して延伸することによって形成される二重壁を有する。
【００３４】
図６は、スペーサを形成する細片２８の展開図である。図６は、タブ３０および３２における穴３０Ａおよび３２Ａを示し、同様に、折り目Ｐ１、Ｐ２、Ｐ３およびＰ４がそれぞれ形成される線Ｌ１、Ｌ２、Ｌ３およびＬ４を示す。
【００３５】
腹部２６は、タブ３０または３２と整列する少なくとも１つの側部突出部および／または少なくとも１つの突出部を有する。この例において、タブ３０および３２のそれぞれは、スペーサのそれぞれの側において軸Ａに平行に突出する、それぞれの側部突出部３０Ｌおよび３２Ｌを有する。この例において、これらの突出部は、スペーサの両側のそれぞれの側に位置する。スペーサがカラーの適切な位置に配置された場合、これらの突出部は、スペーサの側部を越えて、軸Ａに平行にそれぞれ反対方向に延伸する。
【００３６】
同様に、タブ３０および３２のそれぞれは、それぞれの延長部３０Ｐ、３２Ｐを有する。延長部３０Ｐ、３２Ｐのそれぞれは、細片２８のそれぞれの端部に形成される。スペーサがカラーの適切な位置に配置された場合、これらの延長部は、実質的に半径方向に突出する。
【００３７】
これらの突出部およびこれらの延長部は、位置決めキーとして機能する。図５からわかるように、締め付け胴部を通すために設けられた腹部２６における、側部突出部３０Ｌおよび３２Ｌの自由端と穴（３０Ａ、３２Ａ）の軸ＡＥとの間の距離ＤＬ（これらの距離は、陸部２４の内部面に対して垂直な当該穴の直径Ｄを基準にして測定される）は、陸部２４の内部面と軸ＡＥとの距離ＤＳよりも大きい。したがって、スペーサの胴部１６上での位置決め（姿勢）が正しくなく、陸部が軸Ａに対して実質的に垂直に延伸すると、側部突出部３０Ｌまたは３２Ｌのうちの一方は、ベルト１０によって形成される円筒状の外形を越えて内部に突出し、したがって、クランプ対象の物品が当該ベルト内に挿入されることを防止する。この際、使用者は、位置決め（姿勢）が正しくないことを即座に理解し、スペーサの位置決めを補正する。同様に、延長部３０Ｐおよび３２Ｐの自由端と軸ＡＥとの間の距離ＤＰ（これらの距離は、陸部の内部面に平行であるか、または当該内部面の底部に対する接線に平行である腹部内の穴の直径Ｄ’に垂直な方向において測定される）もまた、陸部の内部面の軸ＡＥからの距離ＤＳよりも大きい。このように、スペーサの位置決め（姿勢）が正しくなく、陸部２４が軸Ａから離れた場合、延長部３０Ｐおよび３２Ｐは、ベルトの内周内に突出し、やはりクランプ対象の物品が挿入されることを防止するので、使用者は、誤りに気付いて補正することができる。
【００３８】
上記の実施形態において、細片の自由端２８Ａおよび２８Ｂは、タブ３０および３２の陸部２４から離れた端部に位置する。
【００３９】
以下に図７〜９を参照してスペーサの他の実施形態を説明する。
【００４０】
図７において、スペーサ１２２は、１つのタブ１３０と、２つの二重壁部を有する陸部１２４とを有する。このスペーサは、タブ１３０と陸部２４との間に第１の折り目Ｐ１と、陸部の第１の端部１２４Ａに位置する第２の折り目Ｐ２と、陸部の第２の端部１２４Ｂに位置する第３の折り目Ｐ３を有する。このように、陸部の内部壁１２５Ｂは、タブ１３０と折り目Ｐ２との間で、第１の外部壁１２５Ａによって覆われ、また、折り目Ｐ３と腹部１２６との間で、第２の外部壁１２５Ｃによって覆われる。第２の外部壁１２５Ｃの自由端は、タブ１３０の近傍に位置する。このように、この例において、腹部は、二重壁ではないが、陸部は、二重壁である。この例において、細片の第１の自由端は、タブ１３０の陸部から離れた端部に位置し、細片の第２の端部は、内部壁１２５Ｂと腹部１３０との間の接合部に位置する。変形例において、陸部は、外部壁１２５Ｃを有することなく、端部１２４Ｂで終端してもよい。
【００４１】
図８において、陸部２２４および腹部２２６の両方が二重壁である。より詳細には、腹部２２６は、第１のタブ２３０と、当該第１のタブと陸部２２４との間の接合部における第１の折り目Ｐ１と、陸部の第１の端部２２４Ａにおける第２の折り目Ｐ２と、端部２２４Ａからは反対側にある陸部の第２の端部２２４Ｂにおける第３の折り目Ｐ３と、タブ２３０の上部（すなわち、第１のタブ２３０と第２のタブ２３２との接合部）における第４の折り目Ｐ４’とを有する。第２のタブ２３２が第４の折り目Ｐ４’から陸部へ伸展することによって腹部は二重壁となる。このように、陸部の内部壁２２５Ｂは、外部壁（すなわち、折り目Ｐ１とＰ２と間の外部壁２２５Ａおよび折り目Ｐ３と腹部との間の外部壁２２５Ｃ）によって覆われる。この実施形態において、スペーサを形成する細片の自由端は、第２のタブ２３２と内部壁２２５Ｂとの間の接合部の近傍に位置する。
【００４２】
図９において、また、スペーサ３２２は、二重壁を構成する陸部３２４および腹部３２６を有する。このスペーサは、腹部３２６の一部を形成する第１のタブ３３０と、タブ３３０と陸部３２４との間の接合部に位置する第１の折り目Ｐ１と、陸部の第１の端部３２４Ａに位置する第２の折り目Ｐ２と、タブ３３０と３３２との間の接合部において、腹部３２６の上部に位置する折り目Ｐ４’と、タブ３３２と陸部３２４との間の接合部に位置する別の折り目Ｐ４とを有する。この別の折り目Ｐ４は、上記第４の折り目として機能する。このように、陸部の内部壁３２５Ｂは、折り目Ｐ１とＰ２との間の第１の外部壁３２５、および折り目Ｐ４と陸部の第２の端部３２４Ｂとの間の第２の外部壁３２５Ｃによって覆われる。この例において、スペーサを形成する細片の自由端は、当該第２の端部３２４Ｂに位置する。
【００４３】
当然ながら、図７〜９に示した実施形態において、腹部には、締め付け胴部を通すための穴が設けられてもよく、上記の側部突出部および／または上記延長部が設けられてもよい。例えば、側部突出部１３０Ｌを図７に示す。
【００４４】
図１および２からわかるように、カラーは、スペーサの腹部２６の一方の側で締め付け胴部１６上に保持されるワッシャ５０を有する。例えば、このワッシャは、エラストマーまたはゴムから構成されるワッシャであり、例えば、リングであり、締め付け胴部１６の周りに摩擦により嵌合する。このワッシャは、突起部の一方（この例において、突起部１４）とスペーサの腹部との間に配置される。これにより、スペーサの腹部は、当該突起部から所定の距離の間隔をおいて維持されるので、埋められるべき間隙２０に対してスペーサが正しく中心に配置されることを確実にする。
【００４５】
タブ３０および３２における２つの穴３０Ａおよび３２Ａは、当該タブが互いに折り重なって腹部２６を形成する際に整列する。しかし、図５からわかるように、腹部のタブ３０および３２のそれぞれの穴３０Ａおよび３２Ａは、それらの軸が一致しないようにずらすことを選択できる。すなわち、穴は、同じサイズを有していても、正確に整列する必要はない。例えば、２つの穴の軸間のずれは、およそ１ミリの数十分の一であってもよい。例えば、このずれは、概ね、穴３０Ａおよび３２Ａの直径の１／１００〜１／５の範囲であってもよく、好ましくは、概ね、当該直径の１／２０〜１／１０の範囲であってもよい。この場合、穴がボルトの胴部の直径に一致するサイズを有すれば、穴の軸がこのようにずれることによって、穴の縁部がボルトを擦り、したがって締め付けを妨害することなく摩擦によりボルトが所望の位置に自然に保持される。これは、特に、スペーサの２つのタブ３０および３２が互いに対して若干滑り得るからである。
【００４６】
スペーサの陸部は、カラーが締め付け状態にある場合に、突起部の端部１０Ａと１０Ｂとの間の距離に応じて、より大きいまたはより小さい幅を有してもよい。さらに、ベルトの内部面は、当該端部１０Ａおよび１０Ｂの領域において、ベルトによって形成される円筒状の外形に対して若干隆起させて、陸部の端部を受け取るようにしてもよい。この例において、図１からわかるように、ベルト１０は、陸部２４よりも若干幅（軸Ａに平行な方向における幅）が広く、突起部１２および１４の基部に位置する端部１０Ａおよび１０Ｂの側縁部がそれぞれ隆起部１２Ｄおよび１４Ｄを有する。カラーが締め付けられた場合、スペーサの陸部は、隆起部１２Ｄと１４Ｄとの間で受け取られる。これらの隆起部は、例えば、文献ＷＯ２００６／１０９００１に記載されるタイプのものである。
【図１】
2017083008.tif 000003
【図２】
2017083008.tif 000004
【図３】
2017083008.tif 000005
【図４】
2017083008.tif 000006
【図５】
2017083008.tif 000007
【図６】
2017083008.tif 000008
【図７】
2017083008.tif 000009
【図８】
2017083008.tif 000010
【図９】
2017083008.tif 000011
【外国語明細書】
2017083008000001.pdf